(57)【要約】      （修正有）【課題】テザリング機がテザリングを行う場合、テザリング機がテザリング相手の端末種別を検出し、それに応じたＱｏＳで無線リンクを確立すること。【解決手段】通信システムは、基地局装置と移動局装置１と通信装置を具備する。基地局装置は、移動局装置を介して１又は複数の通信装置と通信を行う。移動局装置は、第１移動局通信部１１と第２移動局通信部１４と移動局制御部１３とを備える。第１移動局通信部は、基地局装置と第１通信を行い、第２移動局通信部は、通信装置と第２通信を行い、移動局制御部は、通信装置の装置種別を取得し、取得した装置種別に基づいて、第１通信の通信制御設定を基地局装置へ要求する要求情報を生成する。基地局装置は、基地局制御部を備える。基地局制御部は、要求情報に基づいて、移動局装置との第１通信において、通信装置の装置種別に応じた通信制御を設定する。【選択図】図２
2020025229.tif 000002
【特許請求の範囲】
【請求項１】
基地局装置と移動局装置と通信装置を具備する通信システムにおいて、
前記基地局装置は、前記移動局装置を介して、１又は複数の前記通信装置と通信を行い、
前記移動局装置は、第１移動局通信部と第２移動局通信部と移動局制御部とを備え、
前記第１移動局通信部は、前記基地局装置と第１通信を行い、
前記第２移動局通信部は、前記通信装置と第２通信を行い、
前記移動局制御部は、
前記通信装置の装置種別を取得し、取得した前記装置種別に基づいて、前記第１通信の通信制御設定を前記基地局装置へ要求する要求情報を生成し、
前記基地局装置は、基地局制御部を備え、
前記基地局制御部は、
前記要求情報に基づいて、前記移動局装置との前記第１通信において、前記通信装置の前記装置種別に応じた通信制御を設定する、
通信システム。
【請求項２】
前記移動局制御部は、前記第１通信において設定された通信制御に基づいて、前記移動局装置と前記通信装置との前記第２通信において、前記通信装置の前記装置種別に応じた通信制御を設定する、
請求項１に記載の通信システム。
【請求項３】
前記移動局制御部は、
前記通信装置の装置種別に応じた状態情報であって、前記通信装置の状態を示す状態情報を取得し、前記状態情報に基づいて、前記要求情報を生成する、
請求項１又は請求項２に記載の通信システム。
【請求項４】
前記移動局制御部は、
車両の駆動部の状態を示す状態情報に基づいて、前記要求情報を生成する、
請求項３に記載の通信システム。
【請求項５】
前記移動局制御部は、
車両の走行の状態を示す状態情報に基づいて、前記要求情報を生成する、
請求項３又は請求項４に記載の通信システム。
【請求項６】
前記移動局制御部は、
表示装置の表示状態を示す状態情報に基づいて、前記要求情報を生成する、
請求項３に記載の通信システム。
【請求項７】
前記基地局制御部は、
前記要求情報に基づいて、前記第１通信を、より高い周波数帯域の通信であって、ビームフォーミングを用いた通信へ切り替える、
請求項１から請求項６のいずれか一項に記載の通信システム。
【請求項８】
前記基地局制御部は、前記要求情報に基づいて、前記第１通信を、サブキャリア間隔に応じて、スロット長又はシンボル長が変わる通信へ切り替える
請求項１から請求項７のいずれか一項に記載の通信システム。
【請求項９】
第１移動局通信部と第２移動局通信部と移動局制御部とを備え、
前記第１移動局通信部は、基地局装置と第１通信を行い、
前記第２移動局通信部は、１又は複数の通信装置と第２通信を行い、
前記移動局制御部は、
前記通信装置の装置種別を取得し、取得した前記装置種別に基づいて、前記第１通信の通信制御設定を前記基地局装置へ要求する要求情報を生成する、
移動局装置。
【請求項１０】
基地局通信部と基地局制御部とを備え、
前記基地局通信部は、移動局装置と通信を行い、前記移動局装置から、通信装置の装置種別に基づいて生成される要求情報を受信し、
前記基地局制御部は、前記要求情報に基づいて、前記移動局装置との前記通信において、前記通信装置の前記装置種別に応じた通信制御を設定する、
基地局装置。
【請求項１１】
通信装置制御部と通信装置通信部とを備え、
前記通信装置制御部は、通信装置の装置種別を取得し、
前記通信装置通信部は、移動局装置と通信を行い、前記装置種別を前記移動局装置に送信し、前記装置種別に応じた通信制御設定で、前記移動局装置を介して基地局装置と通信を行う
通信装置。
【請求項１２】
移動局装置の通信方法であって、
基地局装置と第１通信を行うステップと、
１又は複数の通信装置と第２通信を行うステップと、
前記通信装置の装置種別を取得するステップと、
取得した前記装置種別に基づいて、前記第１通信の通信制御設定を前記基地局装置へ要求する要求情報を生成するステップと、
を有する通信方法。
【請求項１３】
移動局装置のコンピュータに、
基地局装置と第１通信を行う手順と、
１又は複数の通信装置と第２通信を行う手順と、
前記通信装置の装置種別を取得する手順と、
取得した前記装置種別に基づいて、前記第１通信の通信制御設定を前記基地局装置へ要求する要求情報を生成する手順と、
を実行させるプログラム。
【発明の詳細な説明】
【技術分野】
【０００１】
本発明の一態様は、通信システム、移動局装置、基地局装置、通信装置、通信方法、及び、プログラムに関する。
【背景技術】
【０００２】
無線通信技術の発展により、携帯電話機をはじめとする携帯型情報装置が普及している。携帯型情報端末は、通信において、様々なサービス品質が求められる。例えば、特許文献１には、トラフィック・フローが複数のアプリケーションに基づく場合は、個々のＱｏＳを合計した合計ＱｏＳについて、無線リソースの割当等のネゴシエーションすることが記載されている。
【先行技術文献】
【特許文献】
【０００３】
【特許文献１】特開２０１５−２３３２８８号公報
【発明の概要】
【発明が解決しようとする課題】
【０００４】
ところで、無線通信分野においては、デザリングが用いられることがある。デザリングとは、例えば、通信装置を携帯電話装置に接続し、携帯電話装置をモデムの代わりにして、通信装置をネットワークに常時接続することである。
【０００５】
しかしながら、上記特許文献１に記載された技術では、携帯電話装置は、デザリングを行う通信装置（「テザリング相手」とも称する）に応じて、テザリング相手毎に個々のＱｏＳに基づいたネゴシエーションをすることができなかった。つまり、上記特許文献１に記載された技術では、携帯電話装置は、テザリング相手毎に、無線リソース割当等の通信制御を施すことができない、という問題があった。
【０００６】
本発明は、上記の課題に基づいてなされたものであり、適切な通信制御を提供する通信システム、移動局装置、基地局装置、通信装置、通信方法、及び、プログラムを提供する。
【課題を解決するための手段】
【０００７】
（１）本発明は上記の課題を解決するためになされたものであり、本発明の一態様は、基地局装置と移動局装置と通信装置を具備する通信システムにおいて、前記基地局装置は、前記移動局装置を介して、１又は複数の前記通信装置と通信を行い、前記移動局装置は、第１移動局通信部と第２移動局通信部と移動局制御部とを備え、前記第１移動局通信部は、前記基地局装置と第１通信を行い、前記第２移動局通信部は、前記通信装置と第２通信を行い、前記移動局制御部は、前記通信装置の装置種別を取得し、取得した前記装置種別に基づいて、前記第１通信の通信制御設定を前記基地局装置へ要求する要求情報を生成し、前記基地局装置は、基地局制御部を備え、前記基地局制御部は、前記要求情報に基づいて、前記移動局装置との前記第１通信において、前記通信装置の前記装置種別に応じた通信制御を設定する、通信システムである。
【０００８】
（２）また、本発明の他の態様は、前記移動局制御部は、前記第１通信において設定された通信制御に基づいて、前記移動局装置と前記通信装置との前記第２通信において、前記通信装置の前記装置種別に応じた通信制御を設定する。
【０００９】
（３）また、本発明の他の態様は、前記移動局制御部は、前記通信装置の装置種別に応じた状態情報であって、前記通信装置の状態を示す状態情報を取得し、前記状態情報に基づいて、前記要求情報を生成する。
【００１０】
（４）また、本発明の他の態様は、前記移動局制御部は、車両の駆動部の状態を示す状態情報に基づいて、前記要求情報を生成する。
【００１１】
（５）また、本発明の他の態様は、前記移動局制御部は、車両の走行の状態を示す状態情報に基づいて、前記要求情報を生成する。
【００１２】
（６）また、本発明の他の態様は、前記移動局制御部は、表示装置の表示状態を示す状態情報に基づいて、前記要求情報を生成する。
【００１３】
（７）また、本発明の他の態様は、前記基地局制御部は、前記要求情報に基づいて、前記第１通信を、より高い周波数帯域の通信であって、ビームフォーミングを用いた通信へ切り替える。
【００１４】
（８）また、本発明の他の態様は、前記基地局制御部は、前記要求情報に基づいて、前記第１通信を、サブキャリア間隔に応じて、スロット長又はシンボル長が変わる通信へ切り替える。
【００１５】
（９）また、本発明の他の態様は、第１移動局通信部と第２移動局通信部と移動局制御部とを備え、前記第１移動局通信部は、基地局装置と第１通信を行い、前記第２移動局通信部は、１又は複数の通信装置と第２通信を行い、前記移動局制御部は、前記通信装置の装置種別を取得し、取得した前記装置種別に基づいて、前記第１通信の通信制御設定を前記基地局装置へ要求する要求情報を生成する、移動局装置である。
【００１６】
（１０）また、本発明の他の態様は、基地局通信部と基地局制御部とを備え、前記基地局通信部は、移動局装置と通信を行い、前記移動局装置から、通信装置の装置種別に基づいて生成される要求情報を受信し、前記基地局制御部は、前記要求情報に基づいて、前記移動局装置との前記通信において、前記通信装置の前記装置種別に応じた通信制御を設定する、基地局装置である。
【００１７】
（１１）また、本発明の他の態様は、通信装置制御部と通信装置通信部とを備え、前記通信装置制御部は、通信装置の装置種別を取得し、前記通信装置通信部は、移動局装置と通信を行い、前記装置種別を前記移動局装置に送信し、前記装置種別に応じた通信制御設定で、前記移動局装置を介して基地局装置と通信を行う、通信装置である。
【００１８】
（１２）また、本発明の他の態様は、移動局装置の通信方法であって、基地局装置と第１通信を行うステップと、１又は複数の通信装置と第２通信を行うステップと、前記通信装置の装置種別を取得するステップと、取得した前記装置種別に基づいて、前記第１通信の通信制御設定を前記基地局装置へ要求する要求情報を生成するステップと、を有する通信方法である。
【００１９】
（１３）また、本発明の他の態様は、移動局装置のコンピュータに、基地局装置と第１通信を行う手順と、１又は複数の通信装置と第２通信を行う手順と、前記通信装置の装置種別を取得する手順と、取得した前記装置種別に基づいて、前記第１通信の通信制御設定を前記基地局装置へ要求する要求情報を生成する手順と、を実行させるプログラムである。
【発明の効果】
【００２０】
本発明の一態様によれば、適切な通信制御を施すことができる。
【図面の簡単な説明】
【００２１】
【図１】本発明の第１実施形態における通信方法の適用例を示すネットワーク構成図である。
【図２】本実施形態における移動局装置の構成図である。
【図３】本実施形態における通信制御設定情報を示す表である。
【図４】本実施形態における基地局装置の構成図である。
【図５】本実施形態における通信装置の構成図である。
【図６】本実施形態における、通信制御設定要求情報を示す表である。
【図７】本発明の第１〜第５実施形態の通信システムにおける移動局装置の処理の流れの一例を示すフローチャートである。
【図８】本発明の第１〜第５実施形態の通信システムにおける移動局装置の処理の流れの一例を示すフローチャートである。
【図９】本発明の第５実施形態の通信システムにおける移動局装置の処理の流れの一例を示すフローチャートである。
【発明を実施するための形態】
【００２２】
（第１実施形態）
以下、図面を参照しながら本発明の第１の実施形態について説明する。
【００２３】
＜通信システム＞
図１は、本発明の実施形態の通信システムＳの一例を示す図である。本発明の実施形態の通信システムＳは、移動局装置１、通信装置Ｔ１〜Ｔ１０、基地局装置２、伝送装置３、及び、コンテンツサーバ４を備える。通信装置Ｔ１〜Ｔ１０の各々は、移動局装置１のテザリング機能を用いて、移動局装置１を介して基地局装置２と接続する。
【００２４】
すなわち、通信装置Ｔ１〜Ｔ１０は、移動局装置１を介し、基地局装置２及び伝送装置３を経由してコンテンツサーバ４と通信を行う。通信装置Ｔ１〜Ｔ１０は、この通信を用いて、コンテンツサーバ４からコンテンツ等のデータをダウンロードし、又は、データをアップロードする。以下、１又は複数の通信装置Ｔ１〜Ｔ１０を、通信装置Ｔとも称する。
【００２５】
図１において、基地局装置２は、移動局装置１を介して、１又は複数の通信装置Ｔと通信を行う。移動局装置１は、基地局装置２とセルラ通信（第１通信の一例）を行い、通信装置ＴとＷｉ−Ｆｉ（登録商標）通信（第２通信の一例）を行う。
移動局装置１は、通信装置Ｔの装置種別を取得し、取得した装置種別に基づいて、セルラ通信の通信制御設定を基地局装置２へ要求する要求情報を生成する。基地局装置２は、この要求情報に基づいて、移動局装置１とのセルラ通信において、通信装置１の装置種別に応じた通信制御を設定する。
これにより、通信システムＳは、通信装置Ｔの装置種別に応じて、移動局装置１と基地局装置２間のセルラ通信において適切な通信制御を、設定できる。
以下、図１の各装置について、詳細を説明する。
【００２６】
通信装置Ｔは、通信機能を有するモノである。通信装置Ｔは、例えば、自動車Ｔ１、自転車Ｔ２の車両である。また、通信装置Ｔは、例えば、８ｋ液晶テレビＴ３、ビデオカメラＴ４、携帯ゲーム機Ｔ５、ＨＭＤ（Ｈｅａｄ  ｍｏｕｎｔ  ｄｉｓｌｐｌｙ）で構成される仮想現実（Ｖｉｒｔｕａｌ  ｒｅａｌｉｔｙ：ＶＲ）機Ｔ６、タブレットＰＣのＴ７、スマートメガネＴ９、又は、ヘッドフォンＴ１０等のＡＶ機器（表示装置）、ゲーム機器、或いは情報端末装置である。また、通信装置Ｔは、エアコンＴ８等の家電機器である。
【００２７】
ここで、８Ｋ液晶テレビは、横方向で７６８０ピクセルの画素、縦方向で４３２０ピクセルの画素で画面が構成される液晶テレビである。また、ＨＭＤとは、頭部に装着するディスプレイ装置である。
【００２８】
通信装置Ｔは、移動局装置１と、例えばＷｉ−Ｆｉ（登録商標）によって無線通信技術で接続される。ただし通信装置Ｔは、移動局装置１と、例えばＢｌｕｅｔｏｏｔｈ（登録商標）等の近距離無線通信技術で接続されても良いし、Ｕｎｉｖｅｒｓａｌ  Ｓｅｒｉａｌ  Ｂｕｓ（ＵＳＢ）（登録商標）等の有線通信技術で接続されても良い。
【００２９】
移動局装置１は、基地局装置２と無線のセルラ通信技術によって接続される。移動局装置１は、例えば、第４世代無線通信技術（ＬＴＥ：Ｌｏｎｇ  Ｔｅｒｍ  Ｅｖｏｌｕｔｉｏｎ：登録商標。「４Ｇ通信」とも称する）と第５世代無線通信技術（「５Ｇ通信」とも称する）と、を切り替えて、または組み合わせて通信する。ここで、４Ｇ通信と５Ｇ通信とは、通信制御の要求条件が異なる。通信制御の要求条件とは、例えばピークデータレート、無線区間の遅延量、及び／又はパケット送信成功率が一例として挙げられるが、これらに限られない。基地局装置２と伝送装置３、および、伝送装置３とコンテンツサーバ４はそれぞれ、Ｉｎｔｅｒｎｅｔ又はＥｔｈｅｒｎｅｔ（登録商標）等の有線通信技術によって接続されても良いし、マイクロ波伝送等の無線通信技術によって接続されても良い。
【００３０】
＜移動局装置＞
図２は、本発明の実施形態の移動局装置１の構成図である。移動局装置１は、第１移動局通信部１１、通信制御設定情報記憶部１２、移動局制御部１３、及び第２移動局通信部１４を備える。第１移動局通信部１１は、送信部１１１、及び受信部１１２を備える。移動局制御部１３は、取得部１３１、通信制御設定制御部１３２、及び通信処理部１３３を備える。第２移動局通信部１４は、送信部１４１及び受信部１４２を備える。
【００３１】
第１移動局通信部１１は、送信部１１１及び受信部１１２を用いて、基地局装置２と通信する。通信制御設定情報記憶部１２には、通信制御設定に関する設定情報（「通信制御設定情報」とも称する）が保存される。ここで、通信制御設定情報とは、基地局装置２と移動局装置１との通信について、通信制御設定番号毎に、通信モードが対応付けられた情報である（図３参照）。通信モードは、通信速度（ピークデータレート等）、通信遅延（エンドツーエンドにおける無線区間で許容される遅延量等）、又は、通信信頼性（パケット送信成功率等）に応じたモードである。各通信モードは、例えば、通信モードに応じた通信制御（例えば、４Ｇ通信や５Ｇ通信で使われているＱｏＳに基づく優先制御や帯域制御）に対応付けられている。
【００３２】
また、通信制御設定情報記憶部１２には、要求する通信制御設定に関する表（「通信制御設定要求情報表」とも称する）が保存される。通信制御設定要求情報表は、移動局装置１が基地局装置２に対して要求する通信制御設定に関する。通信制御設定要求情報表は、端末装置Ｔの種別情報と状態情報とに対応する通信制御設定番号を示す（図６参照）。状態情報としては、複数種類の状態情報があっても良く、本発明の実施形態においては、第１状態情報及び第２状態情報の２種類が用いられるが、３種類以上の状態情報が用いられても良い。また、本発明の実施形態においては、第１状態情報及び第２状態情報それぞれに対応する第１状態番号及び第２状態番号が存在する。
【００３３】
送信部１１１は、移動局制御部１３から入力される各種データ、制御情報、及び通信制御設定に関する要求情報（「通信制御設定要求情報」とも称する）を基地局装置２に送信する。受信部１１２は、基地局装置２から各種データや制御情報を受信し、移動局制御部１３に出力する。
【００３４】
取得部１３１は、通信端末Ｔの機種に関する種別情報と、通信端末Ｔの状態に関する状態情報とを、第２移動局通信部１４を介して取得する。通信制御設定制御部１３２は、通信端末Ｔの機種に関する種別情報と、通信端末Ｔの状態に関する状態情報と、通信制御設定情報記憶部１２に保存された通信制御設定情報及び通信制御設定要求情報表と、に基づいて、通信制御設定要求情報を生成する。通信処理部１３３は、第１移動局通信部１１の通信処理、および第２移動局通信部１４の通信処理を制御する。第２移動局通信部１４は、送信部１４１及び受信部１４２を用いて、通信装置Ｔと通信する。
【００３５】
送信部１４１は、移動局制御部１３から入力される各種データや制御情報を、通信装置Ｔに送信する。受信部１４２は、通信装置Ｔから各種データと、制御情報と、通信装置Ｔの装置種別に関する種別情報と、通信装置Ｔの状態に関する状態情報に対応する状態番号とを受信し、移動局制御部１３に出力する。
【００３６】
図３は、通信制御設定情報の表である。
通信制御設定番号１は、大容量下り通信に対応し、例えばピークデータレートとして２０Ｇｂｉｔ／ｓ以上を保証する通信モードに対応する。
通信制御設定番号２は、大容量上り通信に対応し、例えばピークデータレートとして１０Ｇｂｉｔ／ｓ以上を保証する通信モードに対応する。
通信制御設定番号３は、低遅延通信レベル１に対応し、例えば無線区間の往復遅延として１ｍｓ以下を保証する通信モードに対応する。また、通信制御設定番号４は、低遅延通信レベル２に対応し、例えば無線区間の往復遅延として５ｍｓ以下を保証する通信モードに対応する。また、通信制御設定番号５は、低遅延通信レベル３に対応し、例えば無線区間の往復遅延として１０ｍｓ以下を保証する通信モードに対応する。
【００３７】
通信制御設定番号６は、高信頼性通信に対応し、例えばパケット送信成功率として９９．９９９％以上を保証する通信モードに対応する。通信制御設定番号７は、将来の拡張のためにリザーブされている。通信制御番号８は、ＬＴＥ相当の通信制御を設定するものである。通信制御設定番号１から８までの通信モードは、単独で設定しても良いし、複数の通信制御設定番号の通信モードを同時に設定しても良い。例えば、通信制御設定番号１及び通信制御設定番号２に対応する通信モードを同時に設定しても良い。また、例えば、通信制御設定番号１、通信制御設定番号２、及び通信制御設定番号５に対応する通信モードを同時に設定しても良い。
【００３８】
＜基地局装置＞
図４は、本発明の実施形態の基地局装置２の構成図である。本発明の実施形態の基地局装置２は、第１基地局通信部２１、通信制御設定情報記憶部２２、基地局制御部２３、及び第２基地局通信部２４を備える。第１基地局通信部２１は、送信部２１１、及び受信部２１２を備える。基地局制御部２３は、通信制御設定制御部２３１、及び通信処理部２３２を備える。
【００３９】
第１基地局通信部２１は、送信部２１１および受信部２１２を用いて、移動局装置１と通信する。通信制御設定情報記憶部２２には、通信制御設定情報及び通信制御設定要求情報表が保存される。送信部２１１は、基地局制御部２３から入力される各種データや制御情報を、移動局装置１に送信する。受信部２１２は、各種データ、制御情報、及び、通信制御設定要求情報を、移動局装置１から受信し、基地局制御部２３に出力する。
【００４０】
通信制御設定制御部２３１は、移動局装置１から受信した通信制御設定要求情報と、通信制御設定情報記憶部２２に保存された通信制御設定情報とに基づいて、基地局装置２と移動局装置１との間の通信における通信制御を設定する。具体的には、通信制御設定制御部２３１は、通信制御設定要求情報に含まれる通信制御設定番号を抽出し、抽出した通信制御設定番号に対応する通信モードを通信制御設定情報から選択して設定する。
【００４１】
ここで、通信制御設定制御部２３１は、移動局装置１から受信した通信制御設定要求情報と、通信制御設定情報記憶部２２に保存された通信制御設定情報とに基づいて、移動局装置１と通信装置Ｔとの間の通信における通信制御を設定しても良い。具体的には、通信処理部２３２は、抽出された全ての通信制御設定番号を、第１基地局通信部２１を介して移動局装置１に対して送信しても良い。移動局装置１は、基地局装置２から送信される通信制御設定番号を、第１移動局通信部１１を介して受信しても良い。
【００４２】
通信処理部２３２は、第１基地局通信部２１の通信処理、および第２基地局通信部２４の通信処理を制御する。また、通信処理部２３２は、第１基地局通信部２１に対して、通信制御設定制御部２３１が設定した通信モードで、通信を行わせる。これにより、基地局装置２は、通信制御設定番号に応じた通信制御で、移動局装置１と通信を行う。第２基地局通信部２４は、伝送装置３との通信を行う。また、通信制御設定制御部１３２は、基地局装置２から通信制御設定番号を受信した場合、通信制御設定番号に対応する通信モードを、通信制御設定情報記憶部１２から読み出し、第２移動局通信部１４と通信装置Ｔとの間の通信に設定しても良い。
【００４３】
＜通信装置＞
図５は、本発明の実施形態の自動車Ｔ１の構成図である。自動車Ｔ１は、本実施形態における通信端末Ｔの一例である。自動車Ｔ１は、自動車通信部Ｔ１１、エンジンＴ１２、運転操作子Ｔ１３、車両センサＴ１４、自動車制御部Ｔ１５、カメラＴ１６、設定情報記憶部Ｔ１７、及び表示部Ｔ１８を備える。自動車通信部Ｔ１１は、送信部Ｔ１１１および受信部Ｔ１１２を備える。自動車制御部Ｔ１５は、取得部Ｔ１５１および通信処理部Ｔ１５２を備える。
【００４４】
自動車通信部Ｔ１１は、送信部Ｔ１１１および受信部Ｔ１１２を用いて、移動局装置１と通信する。エンジンＴ１２は、自動車Ｔ１が走行するための走行駆動力（トルク）を駆動輪（図示せず）に出力する。運転操作子Ｔ１３は、例えば、アクセルペダル、ブレーキペダル、シフトレバー、ステアリングホイール、異形ステア、ジョイスティック、及びその他の操作子を含む。運転操作子Ｔ１３には、操作量、あるいは操作の有無を検出するセンサが取り付けられている。
【００４５】
車両センサＴ１４は、自動車Ｔ１の速度を検出する車速センサ、加速度を検出する加速度センサ、及び自車両Ｔ１の向きを検出する方位センサ、衝突回避または自動運転に使用されるレーザー等の測距センサ等を含む。カメラＴ１６は、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の固体撮像素子を利用したデジタルカメラである。
【００４６】
カメラＴ１６は、自動車Ｔ１の任意の箇所に取り付けられる。カメラＴ１６は、例えば、周期的に繰り返し自動車Ｔ１の周辺を撮像する。設定情報記憶部Ｔ１７には、自動車Ｔ１の情報が保存される。自動車Ｔ１の情報は、Ｔ１が自動車であることを示す情報や、車種に関する情報を含む。
【００４７】
取得部Ｔ１５１は、エンジンＴ１２の状態、運転操作子Ｔ１３の状態、及び車両センサＴ１４の状態に関する状態情報を取得する。また、取得部Ｔ１５１は、カメラＴ１６が撮像した画像データを取得する。また、取得部１５１は、設定情報記憶部Ｔ１７から、自動車Ｔ１の情報を取得する。このとき、取得部１５１は、自動車Ｔ１の種別情報として‘１’をセットする。
【００４８】
取得部１５１は、エンジンＴ１２、運転操作子Ｔ１３、または車両センサＴ１４から、自動車Ｔ１が走行中であるという情報を取得した場合、第１状態番号として‘１’をセットする。取得部１５１は、運転操作子Ｔ１３や車両センサＴ１４から、自動車が走行中ではないという情報を取得した場合、第１状態番号として‘２’をセットする。
【００４９】
自動車Ｔ１が走行しているか否かの判定は、エンジンＴ１２が動作していることを示すか否かを示す状態情報に基づいても良い。また、自動車Ｔ１が走行しているか否かの判定は、アクセルが踏まれた、又はブレーキが離された、という状態情報に基づいても良い。
【００５０】
取得部１５１は、車両センサＴ１４から、自動車の走行速度が３０ｋｍ／ｈ以上であるという情報を取得した場合、第２状態番号として‘１’をセットする。取得部１５１は、車両センサＴ１４から、自動車の走行速度が１０ｋｍ／以上３０ｋｍ／ｈ未満であるという情報を取得した場合、第２状態番号として‘２’をセットする。取得部１５１は、車両センサＴ１４から、自動車の走行速度が５ｋｍ／以上１０ｋｍ／ｈ未満であるという情報を取得した場合、第２状態番号として‘３’をセットする。取得部１５１は、車両センサＴ１４から、自動車の走行速度が５ｋｍ／ｈ未満であるという情報を取得した場合、第２状態番号として‘４’をセットする。
【００５１】
取得部１５１は、自動車Ｔ１が走行中ではなく、自動車Ｔ１以外の他の車両が、取得した画像データに写っている場合、第１状態番号として‘２’をセットし、第２状態番号として‘１’をセットしても良い。第１状態番号として‘２’がセットされ、第２状態番号として‘１’がセットされた場合、取得部１５１は、他の車両に追突される可能性がある場合と判定しても良い。
【００５２】
取得部１５１は、自動車Ｔ１が走行中ではなく、自動車Ｔ１以外の他の車両が、取得した画像データに写っていない場合、第１状態番号として‘２’をセットし、第２状態番号に‘２’をセットしても良い。第１状態番号として‘２’がセットされ、第２状態番号として‘２’がセットされた場合、取得部１５１は、他の車両に追突される可能性がない場合と判定しても良い。通信処理部Ｔ１５２は、自動車通信部Ｔ１１の動作を制御する。また、通信処理部Ｔ１５２は、種別情報、状態に関する第１状態番号、第２状態番号、及び画像データを、自動車通信部Ｔ１１を用いて移動局装置１に対して送信させる制御を行う。
【００５３】
次に、移動局装置１が、移動局装置１と基地局装置２との通信制御設定を設定する処理の一例を説明する。移動局装置１は、図３に示す通信制御設定情報表と、図６に示す通信制御設定要求情報表と、図７及び図８に示すフローチャートとに基づいて、移動局装置１と基地局装置２との通信の通信制御設定要求を生成する。
【００５４】
図６に示す通信制御設定要求情報表は、移動局装置１に接続される通信装置Ｔの、装置種別情報及び状態情報に対応する通信制御設定番号を示す。通信制御設定要求情報表は、通信制御設定情報記憶部１２に保存されている。図７及び図８は、第１の実施形態に係る移動局装置１が、移動局装置１と基地局装置２との通信制御を設定する処理の一例を示すフローチャートである。
【００５５】
ステップＳ１００において、取得部１３１は、移動局装置１に接続されている通信端末Ｔの装置に関する種別情報を、受信部１１２を介して取得する。ステップＳ１０１において、通信制御設定制御部１３２は、種別情報の有無を判定する。種別情報が存在する場合、通信制御設定制御部１３２はステップＳ１０２に遷移する。種別情報が存在しない場合、通信制御設定制御部１３２は制御を終了する。
【００５６】
通信制御設定制御部１３２は、取得した種別情報が‘１’の場合、ステップＳ１０３において、取得部１３１は自動車Ｔ１の状態情報、すなわち第１状態情報及び第２状態情報に対応する第１状態番号及び第２状態番号を取得する。取得した種別情報が２〜５のいずれかの整数の場合については、第２実施形態以降で説明する。取得した種別情報が１〜５のいずれの整数でもない場合、通信制御設定制御部１３２は制御を終了する。
【００５７】
ステップＳ１０４において、通信制御設定制御部１３２は、取得した第１状態情報を評価する。第１状態番号が‘１’の場合、通信制御設定制御部１３２は、ステップＳ１０５に遷移する。第１状態番号が‘２’の場合、通信制御設定制御部１３２は、ステップＡを介して図８のステップＳ１０７に遷移する。
【００５８】
ステップＳ１０５において、通信制御設定制御部１３２は、取得した第２状態情報を評価する。第２状態番号が‘１’の場合、通信制御設定制御部１３２はステップＳ１０６−１に遷移する。第２状態番号が‘２’の場合、通信制御設定制御部１３２はステップＳ１０６−２に遷移する。第２状態番号が‘３’の場合、通信制御設定制御部１３２はステップＳ１０６−３に遷移する。第２状態番号が‘４’の場合、通信制御設定制御部１３２はステップＳ１０６−４に遷移する。第２状態番号が‘１’から‘４’のいずれの整数でもない場合、通信制御設定制御部１３２は制御を終了する。
【００５９】
ここで、種別情報が‘１’、第１状態番号が‘１’、かつ第２状態情報が‘１’の場合は、自動車Ｔ１の走行速度が３０ｋｍ／ｈ以上の場合である。この場合、通信制御設定制御部１３２は、ステップＳ１０６−１において、通信制御設定要求情報表に基づき、通信制御設定番号‘３’および‘６’を読み出す。そして、通信制御設定制御部１３２は、通信制御設定番号‘３’および‘６’を含む通信制御設定要求情報を生成する。
【００６０】
ここで、種別情報が‘１’、第１状態番号が‘１’、かつ第２状態番号が‘２’の場合は、自動車Ｔ１の走行速度が１０ｋｍ／ｈ以上かつ３０ｋｍ／ｈ未満の状態である場合である。この場合、通信制御設定制御部１３２は、ステップＳ１０６−２において、通信制御設定要求情報表に基づき、通信制御設定番号‘４’および‘６’を読み出す。そして、通信制御設定制御部１３２は、通信制御設定番号‘４’および‘６’を含む通信制御設定要求情報を生成する。
【００６１】
ここで、種別情報が‘１’、第１状態番号が‘１’、かつ第２状態番号が‘３’の場合は、自動車Ｔ１の走行速度が５ｋｍ／ｈ以上かつ１０ｋｍ／ｈ未満の状態である場合である。この場合、通信制御設定制御部１３２は、ステップＳ１０６−３において、通信制御設定要求情報表に基づき、通信制御設定番号‘５’および‘６’を読み出す。そして、通信制御設定制御部１３２は、通信制御設定番号‘５’および‘６’を含む通信制御設定要求情報を生成する。
【００６２】
ここで、種別情報が‘１’、第１状態番号が‘１’、かつ第２状態番号が‘４’の場合は、自動車Ｔ１の走行速度が５ｋｍ／ｈ未満の状態である場合である。この場合、通信制御設定制御部１３２は、ステップＳ１０６−４において、通信制御設定要求情報表に基づき、通信制御設定番号‘８’を読み出す。そして、通信制御設定制御部１３２は、通信制御設定番号 ‘８’を含む通信制御設定要求情報を生成する。
【００６３】
ステップＳ１０７において、通信制御設定制御部１３２は、第２状態番号を評価する。
第２状態番号が‘１’の場合、通信制御設定制御部１３２は、ステップＳ１０８−１に遷移し、通信制御設定要求情報表に基づき、通信制御設定番号‘１’、‘３’、および‘６’を読みだしても良い。そして、通信制御設定制御部１３２は、通信制御設定番号‘１’、‘３’、および‘６’を含む通信制御設定要求情報を生成しても良い。
【００６４】
ここで、種別情報が‘１’、第１状態番号が‘２’、かつ第２状態番号が‘１’の場合は、自動車Ｔ１が非走行中の状態であって、他の車両に追突される可能性がある状態の場合である。この場合、表示部Ｔ１８を介して、大容量下り通信設定を必要とする高精細映像コンテンツ等が視聴されても良い。
【００６５】
また、ステップＳ１０７において、第２状態番号が‘２’の場合、通信制御設定制御部１３２は、通信制御設定要求情報表に基づき、ステップＳ１０６−２において、通信制御設定番号‘１’を読みだしても良い。そして、通信制御設定制御部１３２は、通信制御設定番号‘１’を含む通信制御設定要求情報を生成しても良い。ここで、種別情報が‘１’、第１状態番号が‘２’、かつ第２状態番号が‘２’の場合は、自動車Ｔ１が非走行中の状態であって、他の車両に追突される可能性がない状態の場合である。
この場合、表示部Ｔ１８を介して、大容量下り通信設定を必要とする高精細映像コンテンツ等が視聴されても良い。
【００６６】
移動局装置１の通信処理部１３３は、生成された通信制御設定要求情報を基地局装置２に送信するよう、送信部１１１に対して制御する。生成された通信制御設定要求情報は、通信制御設定情報の通信制御設定番号を含む。基地局装置２の受信部２１２は、通信制御設定要求情報を移動局装置１の送信部１１１から受信する。通信制御設定制御部２３１は、通信制御設定番号に対応する通信モードを、通信制御設定情報記憶部２２の通信制御設定情報から読み出す。
【００６７】
通信処理部２３２は、読み出した通信モードに対応する通信制御設定を、第１基地局通信部２１に対して設定させるように制御する。第１基地局通信部２１は、送信部２１１および受信部２１２を用いて、移動局装置１との通信において、通信制御設定制御部２３１により設定された通信制御を設定する。
【００６８】
ここで、通信処理部２３２は、通信制御設定情報記憶部２２の通信制御設定情報から読み出された通信モードに対応する通信制御設定番号を、送信部２１１を介して移動局装置１に対して送信させても良い。移動局装置１の通信制御設定制御部１３２は、受信した通信制御設定番号に対応する通信モードを、通信制御設定情報記憶部１２の通信制御設定情報から読み出し、通信装置Ｔとの間の通信に対して設定する制御を行っても良い。
【００６９】
このように、第１実施形態に係る通信システムＳは、通信装置Ｔ、移動局装置１、及び基地局装置２を具備し、移動局装置１は、第１移動局通信部１１と、第２移動局通信部１２と、移動局制御部１３とを備える。第１移動局通信部１１は、基地局装置２と通信する。第２移動局通信部１２は、通信装置Ｔと通信する。第２移動局通信部１２は、通信装置Ｔの装置種別情報を受信する。
【００７０】
移動局制御部１３は、当該装置種別情報に基づき、通信装置Ｔとの間の通信制御設定を要求する要求情報を生成する。また、移動局装置１は、送信部１１１を備える。送信部１１１は、当該要求情報を、基地局装置２に対して送信する。基地局装置２は、移動局装置１から受信した要求情報に基づいて、移動局装置１との通信における通信制御を設定する。
【００７１】
これにより、通信システムＳにおいて、移動局装置１に接続された通信装置Ｔの種別に応じて、大容量、超低遅延性、及び／又は超高信頼性の通信制御を設定することができる。したがって、通信システムＳにおいて、移動局装置１に接続された通信装置Ｔの種別に応じた適切な通信制御を設定することが出来るようになる。
【００７２】
また、移動局制御部１３は、当該装置種別情報に基づき、通信装置Ｔとの間の通信制御設定を要求する要求情報を生成する。また、移動局装置１は、送信部１１１を備える。送信部１１１は、当該要求情報を、基地局装置２に対して送信する。基地局装置２は、移動局装置１から受信した要求情報に基づいて、移動局装置１との通信における通信制御を設定する。送信部２１１は、設定された通信制御に関する情報を、移動局装置１に対して送信する。移動局装置１の通信制御設定制御部１３２は、設定された通信制御に関する情報に基づき、通信装置Ｔとの通信における通信制御を設定する。
【００７３】
これにより、通信システムＳにおいて、移動局装置１に接続された通信装置Ｔの種別に応じて、大容量、超低遅延性、及び／又は超高信頼性の通信制御を設定することができる。したがって、通信システムＳにおいて、移動局装置１に接続された通信装置Ｔの種別に応じた適切な通信制御を、移動局装置１と通信装置Ｔとの間の通信に対して設定することが出来るようになる。
【００７４】
また、第１実施形態に係る通信システムは、通信装置Ｔ、移動局装置１、及び基地局装置２を具備し、移動局装置１は、第１移動局通信部１１と、第２移動局通信部１２と、移動局制御部１３とを備える。第２移動局通信部１２は、通信装置Ｔの状態情報を受信する。当該状態情報は、接続された通信装置Ｔが走行中であることを示しても良い。移動局制御部１３は、当該状態情報を取得し、通信装置Ｔとの間の通信制御設定を要求する要求情報を生成する。
【００７５】
これにより、通信システムＳにおいて、移動局装置１に接続された通信装置Ｔの状態に応じて、大容量、超低遅延性、及び／又は超高信頼性の通信制御を設定することができる。したがって、通信システムＳにおいて、移動局装置１に接続された通信装置Ｔの状態に応じた適切な通信制御を設定することが出来るようになる。
【００７６】
また、第１実施形態に係る通信システムＳは、通信装置Ｔ、移動局装置１、及び基地局装置２を具備し、移動局装置１は、第１移動局通信部１１と、第２移動局通信部１２と、移動局制御部１３とを備える。第２移動局通信部１２は、接続された通信装置Ｔの車両のエンジンの状態情報を受信する。移動局制御部１３は、当該状態情報を取得する。移動局制御部１３は、自動車Ｔ１との間の通信制御設定を要求する要求情報を生成する。
【００７７】
これにより、移動局装置１に接続された通信装置Ｔの車両が走行中である場合、通信制御設定制御部１３２は、超低遅延性及び超高信頼性の通信制御を設定することができる。したがって、通信システムＳにおいて、移動局装置１に接続された通信装置Ｔの車両のエンジンＴ１２の状態に応じた適切な通信制御を設定することが出来るようになる。
【００７８】
また、第１の実施形態に係る通信システムは、通信装置Ｔ、移動局装置１、及び基地局装置２を具備し、移動局装置１は、第１移動局通信部１１と、第２移動局通信部１２と、移動局制御部１３とを備える。第２移動局通信部１２は、接続された通信装置Ｔが走行中であるという状態情報を受信する。移動局制御部１３は、当該状態情報を取得し、通信装置Ｔとの間の通信制御設定を要求する要求情報を生成する。
【００７９】
これにより、移動局装置１に接続された通信装置Ｔの車両が走行中である場合は、超低遅延性及び超高信頼性の通信制御を設定することができる。したがって、通信システムＳにおいて、移動局装置１に接続された通信装置Ｔの車両の走行状態に応じた適切な通信制御を設定することが出来るようになる。
【００８０】
（第２実施形態）
次いで、本発明の第２実施形態について説明する。第２実施形態では、端末装置Ｔが、液晶テレビ等の表示装置Ｔ３である。第１実施形態のように、表示装置Ｔ３が、移動局装置１のテザリング機能を用いて、移動局装置１を介して基地局装置２と接続する。
【００８１】
表示装置Ｔ３は、通信端末Ｔが表示装置Ｔ３であるという、装置種別に関する種別情報として、‘２’をセットする。表示装置Ｔ３は、映像または画像の表示中である場合、第１状態番号として‘１’をセットする。表示装置Ｔ３は、映像または画像の表示中でない場合、第１状態番号として‘２’をセットする。また、表示装置Ｔ３は、映像または画像の表示中か否かにかかわらず、第２状態番号として‘１’をセットする。
【００８２】
表示装置Ｔ３は、種別情報、第１状態番号、及び第２状態番号を、移動局装置１に送信する。次に、移動局装置１が、移動局装置１と基地局装置２との通信制御を設定する処理の一例を、図７に示すフローチャートに基づいて説明する。
【００８３】
ステップＳ１０１までの動作は第１実施形態と同様である。ステップＳ１０２において、通信制御設定制御部１３２は、種別情報を評価する。種別情報が‘２’の場合、通信制御設定制御部１３２は、ステップＳ１０３に遷移する。取得した種別情報が１〜５のいずれの整数でもない場合、通信制御設定制御部１３２は制御を終了する。
【００８４】
第２実施形態では、図７のステップＳ１０３の記載を、‘表示装置の状態情報を取得する’と読み替える。ステップＳ１０３において、通信制御設定制御部１３２は、表示装置Ｔ３の状態情報、すなわち第１状態番号および第２状態番号を取得し、ステップＳ１０４に遷移する。ステップＳ１０４の動作は第１実施形態と同様である。
【００８５】
ステップＳ１０５において、通信制御設定制御部１３２は、取得した第２状態情報を評価する。第２状態情報が‘１’の場合、通信制御設定制御部１３２はステップＳ１０６−１に遷移する。第２実施形態では、図７のステップＳ１０６−１の記載を、‘通信制御設定番号の１を含む要求情報を生成する’と読み替える。また、図７のステップＳ１０６−２の記載を、‘通信制御設定番号の８を含む要求情報を生成する’と読み替える。
【００８６】
ステップＳ１０６−１において、第２状態番号が‘１’の場合、通信制御設定制御部１３２は、通信制御設定要求情報表に基づき、通信制御設定番号‘１’を読み出す。そして、通信制御設定制御部１３２は、通信制御設定番号‘１’を含む通信制御設定要求情報を生成する。すなわち、通信制御設定制御部１３２は、大容量下り通信の通信制御設定を要求する通信制御設定要求情報を生成する。
ここで、種別情報が‘２’かつ第１状態番号が‘１’の場合は、表示装置Ｔ３が映像または画像を表示している状態である。
【００８７】
第２状態番号が‘２’の場合、ステップＳ１０６−２において通信制御設定制御部１３２は、通信制御設定要求情報表に基づき、通信制御設定番号‘８’を読み出す。そして、通信制御設定制御部１３２は、通信制御設定番号‘８’を含む通信制御設定要求情報を生成する。ここで、種別情報が‘２’かつ第１状態番号が‘１’の場合は、表示装置Ｔ３が映像または画像を表示していない状態である。
【００８８】
生成された通信制御設定要求情報に基づき、第１実施形態と同様に、移動局装置１と基地局装置２との間の通信制御が設定される。
【００８９】
第２実施形態に係る通信システムＳは、通信装置Ｔ、移動局装置１、及び基地局装置２を具備し、移動局装置１は第２移動局通信部１２と移動局制御部１３とを備える。第２移動局通信部１２は、接続された通信装置Ｔ３が映像や画像の表示中であるか否かという状態情報を受信する。移動局制御部１３は、当該状態情報を取得し、移動局装置１と基地局装置２との間の通信制御設定を要求する要求情報を生成する。
【００９０】
これにより、移動局装置１に接続された通信装置Ｔが表示装置Ｔ３であり、表示装置Ｔ３が映像や画像の表示中である場合は、大容量下り通信の通信制御を、移動局装置１と基地局装置２との間の通信に対して設定することができる。したがって、通信システムＳにおいて、表示装置Ｔ３が移動局装置１に接続された場合において、接続された通信装置Ｔの種別に応じて、及び、移動局装置１に接続された表示装置Ｔ３の状態に応じて、適切な通信制御を設定することが出来るようになる。
【００９１】
これにより、移動局装置１に接続された通信装置Ｔが表示装置Ｔ３であり、映像や画像の表示中である場合は、大容量下り通信の通信制御を設定することができる。したがって、通信システムＳにおいて、移動局装置１に接続された表示装置Ｔ３の状態に応じて適切な通信制御を設定することが出来るようになる。
【００９２】
（第３実施形態）
次いで、本発明の第３実施形態について説明する。第３実施形態では、テザリング時に、自転車Ｔ２の車両が移動局装置１に接続されている点が、第１実施形態と異なる。自転車Ｔ２の車両は、通信端末Ｔが自転車Ｔ２の車両であるという装置種別に関する種別情報として、‘３’をセットする。自転車Ｔ２の車両は、自転車Ｔ２の車両が走行中であるという情報を取得した場合、第１状態番号として‘１’をセットする。自転車Ｔ２の車両は、自転車Ｔ２の車両が走行中ではないという情報を取得した場合、第１状態番号として‘２’をセットする。
【００９３】
自転車Ｔ２の車両は、自転車Ｔ２の車両の走行速度が５ｋｍ／以上であるという情報を取得した場合、第２状態番号として‘１’をセットする。自転車Ｔ２の車両は、自転車Ｔ２の車両の走行速度が５ｋｍ／ｈ未満であるという情報を取得した場合、第２状態番号として‘２’をセットする。自転車Ｔ２の車両は、種別情報、第１状態番号、及び第２状態番号を、移動局装置１に送信する。移動局装置１と基地局装置２との通信制御を設定する処理の一例を、図７及び図８に示すフローチャートに基づいて説明する。
【００９４】
ステップＳ１０１までの動作は第１実施形態と同様である。ステップＳ１０２において、通信制御設定制御部１３２は、種別情報を評価する。種別情報が‘３’の場合、通信制御設定制御部１３２は、ステップＳ１０３に遷移する。取得した種別情報が１〜５のいずれの整数でもない場合、通信制御設定制御部１３２は制御を終了する。
【００９５】
第３実施形態では、図７のステップＳ１０３の記載を、‘自転車Ｔ２の車両の状態情報を取得する’と読み替える。ステップＳ１０３において、通信制御設定制御部１３２は、表示装置Ｔ３の状態情報、すなわち第１状態番号および第２状態番号を取得し、ステップＳ１０４に遷移する。ステップＳ１０４の動作は第１実施形態と同様である。
【００９６】
ステップＳ１０５において、通信制御設定制御部１３２は、取得した第２状態情報を評価する。第２状態番号が‘１’の場合、通信制御設定制御部１３２はステップＳ１０６−１に遷移する。第２状態番号が‘２’の場合、通信制御設定制御部１３２はステップＳ１０６−２に遷移する。第３実施形態では、図７のステップＳ１０６−１の記載を、‘通信制御設定番号の３及び６を含む要求情報を生成する’と読み替える。また、図７のステップＳ１０６−２の記載を、‘通信制御設定番号の３及び８を含む要求情報を生成する’と読み替える。
【００９７】
第２状態番号が‘１’の場合、通信制御設定制御部１３２は、通信制御設定要求情報表に基づき、ステップＳ１０６−１において、通信制御設定番号‘３’および‘６’を読み出す。そして、通信制御設定制御部１３２は、通信制御設定番号‘３’および‘６’を含む通信制御設定要求情報を生成する。すなわち、通信制御設定制御部１３２は、超低遅延かつ高信頼性の通信制御設定を要求する通信制御設定要求情報を生成する。ここで、種別情報が‘３’、第１状態番号が‘１’、かつ第２状態番号が‘１’の場合は、自転車Ｔ２の車両の走行速度が５ｋｍ／ｈ以上の状態である。
【００９８】
通信制御設定制御部１３２は、通信制御設定要求情報表に基づき、ステップＳ１０６−２において、通信制御設定番号‘３’および‘８’を読み出す。そして、通信制御設定制御部１３２は、通信制御設定番号‘３’および‘８’を含む通信制御設定要求情報を生成する。すなわち、通信制御設定制御部１３２は、超低遅延かつＬＴＥ相当の通信制御設定を要求する通信制御設定要求情報を生成する。ここで、種別情報が‘３’、第１状態番号が‘１’、かつ第２状態番号が‘２’の場合は、自転車Ｔ２の車両の走行速度が５ｋｍ／ｈ未満の状態である。
【００９９】
図８のステップＳ１０７を介して、制御設定制御部１３２は、ステップＳ１０８−１に遷移する。本実施形態において、図８のステップＳ１０８−１の記載を、‘通信制御設定番号の１を含む要求情報を生成する’と読み替える。ステップＳ１０８−１において、通信制御設定制御部１３２は、通信制御設定要求情報表に基づき、通信制御設定番号‘１’を読み出す。そして、通信制御設定制御部１３２は、通信制御設定番号‘１’を含む通信制御設定要求情報を生成する。ここで、種別情報が‘３’、第１状態番号が‘２’、かつ第２状態番号が‘１’の場合は、自転車Ｔ２の車両が非走行中の状態である。
【０１００】
生成された通信制御設定要求情報に基づき、第１実施形態と同様に、移動局装置１と基地局装置２との間の通信制御が設定される。
【０１０１】
第３実施形態に係る通信システムＳは、通信装置Ｔ、移動局装置１、基地局装置２を具備し、移動局装置１は、第２移動局通信部１２と、移動局制御部１３を備える。第２移動局通信部１２は、接続された通信装置Ｔである自転車Ｔ２の車両の、走行の状態に関する状態情報を受信する。移動局制御部１３は、当該状態情報に基づき、自転車Ｔ２との間の通信制御設定を要求する要求情報を生成する。
【０１０２】
これにより、移動局装置１に接続された通信装置Ｔが自転車Ｔ２の車両の場合、走行速度に応じた通信制御を設定することができるため、テザリングを行う際に、移動局装置１に接続された車両の状態に応じて適切な通信制御を設定することが出来るようになる。
【０１０３】
（第４実施形態）
次いで、本発明の第４実施形態について説明する。第４実施形態では、カメラＴ４が移動局装置１に接続されている点が、第１実施形態と異なる。カメラＴ４は、通信端末ＴがカメラＴ４であるという装置種別に関する種別情報として、‘４’をセットする。カメラＴ４は、動画をアップロードしようとしている状態の場合、第１状態番号として‘１’をセットする。カメラＴ４は、静止画をアップロードしようとしている状態の場合、第１状態番号として‘２’をセットする。また、カメラＴ４は、第１状態番号にかかわらず、第２状態番号として‘１’をセットする。
【０１０４】
カメラＴ４は、種別情報及び第１状態情報及び第２状態情報を、移動局装置１に送信する。次に、移動局装置１が、移動局装置１と基地局装置２との通信制御を設定する処理の一例を、図７に示すフローチャートに基づいて説明する。
【０１０５】
ステップＳ１０１までの動作は第１実施形態と同様である。ステップＳ１０２において、通信制御設定制御部１３２は、種別情報を評価する。種別情報が‘４’の場合、通信制御設定制御部１３２は、ステップＳ１０３に遷移する。取得した種別情報が１〜５のいずれの整数でもない場合、通信制御設定制御部１３２は制御を終了する。
【０１０６】
第４実施形態では、図７のステップＳ１０３の記載を、‘カメラＴ４の状態情報を取得する’と読み替える。ステップＳ１０３において、通信制御設定制御部１３２は、カメラＴ４の状態情報、すなわち第１状態番号および第２状態番号を取得し、ステップＳ１０４に遷移する。ステップＳ１０４の動作は第１実施形態と同様である。
【０１０７】
ステップＳ１０５において、通信制御設定制御部１３２は、取得した第２状態情報を評価する。第２状態番号が‘１’の場合、通信制御設定制御部１３２はステップＳ１０６−１に遷移する。第４実施形態では、図７のステップＳ１０６−１の記載を、‘通信制御設定番号の２を含む要求情報を生成する’と読み替える。また、図８のステップＳ１０８−１の記載を、‘通信制御設定番号の８を含む要求情報を生成する’と読み替える。
【０１０８】
ステップＳ１０６−１において、通信制御設定制御部１３２は、通信制御設定要求情報表に基づき、通信制御設定番号‘２’を読み出す。そして、通信制御設定制御部１３２は、通信制御設定番号‘２’を含む通信制御設定要求情報を生成する。すなわち、Ｑ通信制御設定制御部１３２は、大容量上り通信の通信制御設定を要求する通信制御設定要求情報を生成する。ここで、種別情報が‘４’、第１状態番号が‘１’、かつ第２状態番号が‘１’の場合は、カメラＴ４が動画をアップロードしようとしている状態である。
【０１０９】
ステップＳ１０７を介し、通信制御設定制御部１３２はステップＳ１０８−１に遷移する。ステップＳ１０８−１において、通信制御設定制御部１３２は、通信制御設定要求情報表に基づき、通信制御設定番号‘８’を読み出す。そして、通信制御設定制御部１３２は、通信制御設定番号‘８’を含む通信制御設定要求情報を生成する。ここで、種別情報が‘４’かつ第１状態番号が‘２’の場合は、カメラＴ４が静止画をアップロードしようとしている状態である。
【０１１０】
生成された通信制御設定要求情報に基づき、第１実施形態と同様に、移動局装置１と基地局装置２との間の通信制御が設定される。
【０１１１】
第４実施形態に係る通信システムは、通信装置Ｔ、移動局装置１、及び基地局装置２を具備し、移動局装置１は、第２移動局通信部１２、及び移動局制御部１３を備える。第２移動局通信部１２は、接続された通信装置ＴであるカメラＴ４が所定の操作を行うという状態情報を受信する。所定の操作とは例えば、カメラＴ４が動画をアップロードするか、あるいは静止画をアップロードするか、等である。移動局制御部１３は、当該状態情報に基づき、カメラＴ４との間の通信制御設定を要求する要求情報を生成する。
【０１１２】
これにより、移動局装置１に接続された通信装置ＴがカメラＴ４の場合、カメラＴ４の操作状態に応じた適切な通信制御を設定することが出来るようになる。
【０１１３】
（第５実施形態）
次いで、本発明の第５実施形態について説明する。第５実施形態では、ゲーム機Ｔ５が移動局装置１に接続されている点が、第１実施形態と異なる。ゲーム機Ｔ５は、通信端末Ｔがゲーム機Ｔ５であるという装置種別に関する種別情報として、‘５’をセットする。ゲーム機Ｔ５は、高画質が求められるゲームが操作されている状態の場合、第１状態番号として‘１’をセットする。
【０１１４】
ゲーム機Ｔ５は、低遅延性が求められるゲームが操作されている状態の場合、第１状態番号として‘２’をセットする。低遅延性が求められるゲームとは、例えばロボットを遠隔で操作するゲーム等である。ゲーム機Ｔ５は、高画質及び低遅延性のいずれも不要なゲームが操作されている状態の場合、第１状態番号として‘３’をセットする。高画質及び低遅延性のいずれも不要なゲームとは、例えば囲碁や将棋等のゲームである。また、ゲーム機Ｔ５は、第１状態番号にかかわらず、第２状態番号として‘１’をセットする。
【０１１５】
ゲーム機Ｔ５は、種別情報及び第１状態情報を、移動局装置１に送信する。次に、移動局装置１が、移動局装置１と基地局装置２との通信制御を設定する処理の一例を、図７、図８、及び図９に示すフローチャートに基づいて説明する。
【０１１６】
ステップＳ１０１までの動作は第１実施形態と同様である。ステップＳ１０２において、通信制御設定制御部１３２は、種別情報を評価する。種別情報が‘５’の場合、通信制御設定制御部１３２は、ステップＳ１０３に遷移する。第２実施形態では、図７のステップＳ１０３の記載を、‘ゲーム機Ｔ５の状態情報を取得する’と読み替える。ステップＳ１０３において、通信制御設定制御部１３２は、ゲーム機Ｔ５の状態情報、すなわち第１状態番号および第２状態番号を取得し、ステップＳ１０４に遷移する。取得した種別情報が１〜５のいずれの整数でもない場合、通信制御設定制御部１３２は制御を終了する。
【０１１７】
ステップＳ１０４において通信制御設定制御部１３２は、第１状態番号の値を評価する。第１状態番号が‘１’の場合、通信制御設定制御部１３２はステップＳ１０５に遷移する。第１状態番号が‘２’の場合、通信制御設定制御部１３２はステップＡを介して図８のステップＳ１０７に遷移する。第１状態番号が‘３’の場合、通信制御設定制御部１３２はステップＢを介して図９のステップＳ１０９に遷移する。
【０１１８】
ステップＳ１０５において、通信制御設定制御部１３２は、取得した第２状態情報を評価する。第２状態番号が‘１’の場合、通信制御設定制御部１３２はステップＳ１０６−１に遷移する。第５実施形態では、図７のステップＳ１０６−１の記載を、‘通信制御設定番号の１及び２を含む要求情報を生成する’と読み替える。また、図８のステップＳ１０８−１の記載を、‘通信制御設定番号の１、２、及び３を含む要求情報を生成する’と読み替える。
【０１１９】
ステップＳ１０６−１において、第１状態番号が‘１’の場合、通信制御設定制御部１３２は、通信制御設定要求情報表に基づき、通信制御設定番号‘１’および‘２’を読み出す。そして、通信制御設定制御部１３２は、通信制御設定番号‘１’ および‘２’を含む通信制御設定要求情報を生成する。すなわち、通信制御設定制御部１３２は、大容量下り通信及び大容量上り通信の通信制御設定を要求する通信制御設定要求情報を生成する。ここで、種別情報が‘５’かつ第１状態番号が‘１’の場合は、ゲーム機Ｔ５において、高精細画像が求められるゲームが操作されている状態である。
【０１２０】
通信制御設定制御部１３２は、図８のステップＳ１０７において、第２状態番号を評価する。この場合、第２状態番号は‘１’なので、通信制御設定制御部１３２はステップＳ１０８−１に遷移する。ステップＳ１０８−１において、通信制御設定要求情報表に基づき、通信制御設定番号‘１’、‘２’及び‘３’を読み出す。そして、通信制御設定制御部１３２は、通信制御設定番号‘１’、‘２’ 及び‘３’を含む通信制御設定要求情報を生成する。ここで、種別情報が‘５’かつ第１状態番号が‘２’の場合は、ゲーム機Ｔ５において、大容量下り通信、大容量上り通信、及び低遅延性が求められるゲームが操作されている状態である。
【０１２１】
通信制御設定制御部１３２は、ステップＳ１０９において、第２状態番号を評価する。この場合、第２状態番号は‘１’なので、通信制御設定制御部１３２はステップＳ１１０−１に遷移する。通信制御設定制御部１３２は、ステップＳ１１０−１において、通信制御設定要求情報表に基づき、通信制御設定番号‘８’を読み出す。そして、通信制御設定制御部１３２は、通信制御設定番号‘８’を含む通信制御設定要求情報を生成する。ここで、種別情報が‘５’かつ第１状態番号が‘３’の場合は、ゲーム機Ｔ５において、高精細画像及び低遅延性のいずれも求められないゲームが操作されている状態である。
【０１２２】
生成された通信制御設定要求情報に基づき、第１実施形態と同様に、移動局装置１と基地局装置２との間の通信制御が設定される。
【０１２３】
第５実施形態に係る通信システムは、通信装置Ｔ、移動局装置１、及び基地局装置２を具備し、移動局装置１は、第２移動局通信部１２と、移動局制御部１３を備える。第２移動局通信部１２は、接続された通信装置Ｔであるゲーム機Ｔ５上で、所定のゲームがプレイされているか否かという状態情報を受信する。当該状態情報とは例えば、ゲーム機Ｔ５において、高精細画像が求められるゲームが操作されているか、低遅延性が求められるゲームが操作されているか、等を示す状態情報である。移動局制御部１３は、当該状態情報に基づき、ゲーム機Ｔ５との間の通信制御設定を要求する要求情報を生成する。
【０１２４】
これにより、移動局装置１に接続された通信装置Ｔがゲーム機Ｔ５の場合、ゲーム機Ｔ５上で、所定のゲームがプレイされているか否かという状態に応じて、適切な通信制御を設定することが出来るようになる。
【０１２５】
また、第１から第５までの実施形態に係る通信システムＳにおいて、図３の通信制御設定情報に対応する通信モードを設定する際は、ＬＴＥ相当の帯域制御から、５Ｇ通信の帯域制御に切り替えても良い。ここで、ＬＴＥ相当の帯域制御は、例えば通信制御設定番号‘８’に対応しても良い。５Ｇ通信の帯域制御は、例えば通信制御設定番号‘１’から‘６’のいずれかに対応しても良い。
【０１２６】
また、第１から第５までの実施形態に係る通信システムＳにおいて、の通信制御設定情報の通信制御設定番号‘１’から‘６’に対応する通信モードを設定する際は、より高い周波数帯を用いてビームフォーミングを行っても良い。通信処理部２２２は、より高い周波数帯を用いてビームフォーミングを行うよう、第１基地局通信部２１を制御しても良い。より高い周波数帯とは、例えば３．６ＧＨｚ帯から６ＧＨｚ帯またはそれ以上の高い周波数帯域や、２８ＧＨｚ帯の周波数帯域であっても良い。ビームフォーミングとは、送信部２１１及び受信部２１２を用いて送信及び受信する、電波の方向を適応的に変化させる技術をいう。
【０１２７】
これにより、通信システムＳにおいて、通信装置Ｔから取得した装置種別に関する種別情報や状態情報に基づき、当該装置種別や状態に応じて、適切な通信制御を設定することができるようになる。
【０１２８】
これにより、通信システムＳにおいて、通信装置Ｔから取得した装置種別に関する種別情報や状態情報に基づき、当該装置種別や状態に応じた通信制御を設定することができるようになる。
【０１２９】
また、第１から第６までの実施形態に係る通信システムＳにおいて、通信制御設定情報の通信制御設定番号‘１’から‘６’通信制御設定に対応する通信モードを設定する際は、サブキャリア間隔に応じてタイムスロット長又はシンボル長を変化させて通信を行うよう、通信処理部２２２は第１移動局通信部２１を制御しても良い。
【０１３０】
これにより、通信システムＳにおいて、移動局装置１に接続された通信装置Ｔから取得した装置種別に関する種別情報や状態情報に基づき、当該装置種別や状態に応じて適切な通信制御を設定することができるようになる。
【０１３１】
なお、本発明の一態様における通信システムＳが備える移動局装置１において動作するプログラムは、本発明の一態様に関わる上記の各実施形態や変形例で示した機能を実現するように、１つ、または複数の、ＣＰＵ（Ｃｅｎｔｒａｌ  Ｐｒｏｃｅｓｓｉｎｇ  Ｕｎｉｔ）等のプロセッサを制御するプログラム（コンピュータを機能させるプログラム）であっても良い。そして、これらの各装置で取り扱われる情報は、その処理時に一時的にＲＡＭ（Ｒａｎｄｏｍ  Ａｃｃｅｓｓ  Ｍｅｍｏｒｙ）に蓄積され、その後、フラッシュメモリやＨＤＤ（Ｈａｒｄ  Ｄｉｓｋ  Ｄｒｉｖｅ）等の各種ストレージに格納され、必要に応じてＣＰＵによって読み出し、修正・書き込みが行われても良い。
【０１３２】
なお、上述した各実施形態や変形例における通信システムＳが備える移動局装置１の一部又は全部を１つ、または複数のプロセッサを備えたコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。なお、ここでいう「コンピュータシステム」とは、通信システムＳが備える移動局装置１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１３３】
また、上述した各実施形態や変形例における通信システムＳが備える移動局装置１の一部、又は全部を典型的には集積回路であるＬＳＩとして実現してもよいし、チップセットとして実現してもよい。また、上述した各実施形態や変形例における通信システムＳが備える移動局装置１の各機能ブロックは個別にチップ化してもよいし、一部、又は全部を集積してチップ化してもよい。また、集積回路化の手法は、ＬＳＩに限らず専用回路、および／または汎用プロセッサで実現しても良い。また、半導体技術の進歩によりＬＳＩに代替する集積回路化の技術が出現した場合、当該技術による集積回路を用いることも可能である。
【０１３４】
以上、この発明の一態様として各実施形態や変形例に関して図面を参照して詳述してきたが、具体的な構成は各実施形態や変形例に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態や変形例に記載された要素であり、同様の効果を奏する要素同士を置換した構成も含まれる。
【０１３５】
例えば、上記各実施形態や各変形例の一部または全部を組み合わせることで本発明の一態様を実現してもよい。
【符号の説明】
【０１３６】
１…移動局装置、１１…第１移動局通信部、１３…移動局制御部、１４第２移動局通信部、２…基地局装置、２１…第１基地局通信部、２２…基地局制御部、２４…第２基地局通信部、３…伝送装置、４…コンテンツサーバ、Ｓ…通信システム、Ｔ…端末装置、Ｔ１…自動車、Ｔ１１…自動車通信部、Ｔ１２…エンジン、Ｔ１３…運転操作子、Ｔ１４…車両センサ、Ｔ１５…自動車制御部、Ｔ１６…カメラ、Ｔ１７…設定情報記憶部、Ｔ２…自転車、Ｔ３…表示装置、Ｔ４…カメラ、Ｔ５…ゲーム機、Ｔ６…ＶＲ機、Ｔ７…タブレットＰＣ、Ｔ８…エアコン、Ｔ９…スマートメガネ、Ｔ１０…ヘッドフォン
【図１】
2020025229.tif 000003
【図２】
2020025229.tif 000004
【図３】
2020025229.tif 000005
【図４】
2020025229.tif 000006
【図５】
2020025229.tif 000007
【図６】
2020025229.tif 000008
【図７】
2020025229.tif 000009
【図８】
2020025229.tif 000010
【図９】
2020025229.tif 000011